(57)【要約】【課題】独自ファイルシステムの方式変換をすることなく、独自ファイルシステムに従って画像データを記録媒体に記録するデジタル画像記録装置であり、この記録媒体に書き込まれた画像データを、汎用パーソナルコンピュータで再生することができる画像ビューワー装置、その画像再生プログラム、及び記録媒体を提供することを目的とするものである。【解決手段】画像データを独自ファイルシステムに従って記録媒体２０に記録するデジタル記録装置１において、記録媒体２０の疑似ＦＡＴ領域に、ウィンドウズＯＳ搭載のパーソナルコンピュータで認識可能とする管理情報と独自ファイルシステムによる画像データの連続情報を書き込めるようにしたデジタル画像記録装置である。【選択図】    図１
2004288007.tif 000002
【特許請求の範囲】
【請求項１】
画像データを独自ファイルシステムに従って記録媒体に記録するデジタル記録装置において、
該記録媒体の疑似ＦＡＴ領域に、ウィンドウズ（登録商標）ＯＳ搭載のパーソナルコンピュータで認識可能とする管理情報と独自ファイルシステムによる画像データの連続情報を書き込めるようにしたことを特徴とするデジタル画像記録装置。
【請求項２】
前記記録媒体の疑似ＦＡＴ領域は、ＦＡＴファイルシステムによるデータ領域が割り付けられていないＦＡＴ領域であり、前記画像データは該記録媒体の独自ファイルシステム領域のデータ領域の単位時間ファイル領域に時系列的に書き込まれることを特徴とする請求項１に記載のデジタル画像記録装置。
【請求項３】
前記デジタル記録装置は、前記記録媒体に書き込まれた記録モードを読み出して第１乃至第３の記録モードの何れかを判別する初期設定手段を備えており、該第１の記録モードは、該デジタル記録装置起動後、独自ファイルシステムに従って前記記録媒体の独自ファイルシステム領域のデータ領域に画像データを記録するモードであり、前記第２の記録モードは、該デジタル記録装置起動後、前記疑似ＦＡＴ領域にパーソナルコンピュータに搭載したＯＳが備える標準ファイルシステムの管理情報の書き込みの有無を確認し、該管理情報が存在しない場合、前記疑似ＦＡＴ領域に前記管理情報を書き込んだ後、前記独自のファイルシステム領域のデータ領域に画像データを書き込むモードであり、前記第３の記録モードは、該デジタル記録装置起動後、パーソナルコンピュータが搭載したＯＳが備える標準ファイルシステムの管理情報の書き込みの有無を確認し、該管理情報が存在する場合には、前記疑似ＦＡＴ領域から前記管理情報を消去した後、前記独自ファイルシステム領域のデータ領域に画像データを書き込むモードであることを特徴とする請求項１又は２に記載のデジタル記録装置。
【請求項４】
請求項１，２又は３に記載のデジタル画像記録装置により記録された前記記録媒体の画像データを再生できるパーソナルコンピュータによる画像ビューワー装置であって、
前記パーソナルコンピュータが、前記記録媒体の疑似ＦＡＴ領域に管理情報の書き込みの有無を判定する判定手段を備え、
該判定手段によって、該疑似ＦＡＴ領域に管理情報が書き込まれていると判定された場合、該管理情報に従って、前記独自ファイルシステム領域のデータ領域に記録された画像データを再生することを特徴とする画像ビューワー装置。
【請求項５】
独自ファイルシステムによるデジタル記録装置の記録媒体に記録された画像データを、パーソナルコンピュータに搭載したＯＳで再生可能な画像再生手段を構成した画像再生プログラムであって、
前記記録媒体は、ＦＡＴファイルシステムによるデータ領域が割り付けられていない疑似ＦＡＴ領域と、前記独自ファイルシステムによる管理領域とデータ領域とが設けられ、かつ該管理領域には画像データの管理情報を記憶し、画像データを記録するデータ領域には多数の単位時間ファイル領域が割り付けられ、前記データ領域の該単位時間ファイル領域には、時系列的に画像データが記録され、時系列的に記録された画像データの管理情報が前記管理領域に記録されているとともに、前記疑似ＦＡＴ領域には、前記独自ファイルシステムを一定領域毎に分割して付与した複数のファイル名及び各ファイルのサイズを含む連続情報が書き込まれており、該連続情報によりパーソナルコンピュータに記録媒体の存在を認識させて、独自ファイルシステムの管理領域に書き込まれた管理情報によりデータ領域に書き込まれた画像データを再生する再生手順を有することを特徴とする画像再生プログラム。
【請求項６】
前記画像再生プログラムの再生手順は、
前記記録媒体に設けた前記独自ファイルシステム領域内にある管理情報である画像データの連続情報を読み出す手順と、
前記パーソナルコンピュータのＯＳが備える標準ＡＰＩを用いて、前記記録媒体をアクセス可能状態とする手順と、
前記標準ＡＰＩを用いて、前記管理情報により前記記録媒体のＬＢＡアドレス及びサイズを直接指定して、前記独自ファイルシステム領域のデータ領域をワークメモリに読み込む手順と、
前記画像データの次の画像データのアドレスとサイズを指定して、前記ワークメモリに書き込む手順と、
前記ワークメモリの画像データを読み出す手順と、
を備えていることを特徴とする請求項５に記載の画像再生プログラム。
【請求項７】
前記記録媒体には、デジタル記録装置起動後、独自ファイルシステムに従って前記記録媒体の該独自ファイルシステム領域のデータ領域に画像データを記録する第１の記録モードと、該デジタル記録装置起動後、パーソナルコンピュータに搭載したＯＳが備えるＦＡＴファイルシステムの管理情報の有無を確認し、該管理情報がない場合、前記ＦＡＴファイルシステムの管理情報を前記記録媒体の疑似ＦＡＴ領域に書き込んだ後、前記独自ファイルシステム領域のデータ領域に画像データを書き込む第２の記録モードと、該デジタル記録装置起動後、パーソナルコンピュータに搭載したＯＳが備えるＦＡＴファイルシステムの管理情報の有無を確認し、前記記録媒体の疑似ＦＡＴ領域に該管理情報がある場合には前記ＦＡＴファイルシステムの管理情報を前記記録媒体から消去した後、前記独自ファイルシステム領域のデータ領域に画像データを書き込む第３の記録モードとの何れかを選択するためのモード設定値が書き込まれていることを特徴とする記録媒体。
【発明の詳細な説明】
【０００１】
【発明の属する技術分野】
本発明は、独自ファイルシステムによるデジタル画像記録装置、画像ビューワー装置、画像再生プログラム、及び記録媒体に関し、詳しくはデジタル画像記録装置の記録媒体に独自ファイルシステムによる画像データが書き込まれ、この記録媒体に書き込まれた画像データを、汎用ファイルシステムによりファイルの認識が可能であり、かつ独自ファイルシステムにより画像データを再生することができる画像ビューワー装置、その画像再生プログラム、及び、独自ファイルシステムにより画像データが書き込まれた記録媒体に関するものである。
【０００２】
【従来の技術】
周知のように、ハードディスク装置等のファイル管理方法としては、コンピュータのＯＳ（Ｏｐｅｒａｔｉｎｇ  Ｓｙｓｔｅｍ）に備えられるＦＡＴ（Ｆｉｌｅ  Ａｌｌｏｃａｔｉｏｎ  Ｔａｂｌｅ）ファイルシステムが広く使用されている。それに対して、組み込みＣＰＵ内蔵の監視用デジタル画像記録装置（以下、デジタル画像記録装置）では、独自ファイルシステムが採用されている。独自ファイルシステムを採用する利点は、デジタル画像記録装置の記録画像を記録媒体であるハードディスク上で物理的に連続して記録することにより、ハードディスクにおけるシーク時間を減らし、記録装置の静寂性及び信頼性の向上や画像データの書き込み時及び読み出し時における装置の応答性を改善することにある。また、監視用途にあっては、目的とする画像データをいち早く再生するための検索性が良好なデータ構造を設定できる利点も考慮して設計されている。
【０００３】
独自ファイルシステムによるデジタル画像記録装置の従来例としては、図９の動画像記録装置がある。この動画記録装置は、システムコントローラ２５にメモリ制御回路２５ａ、バッファメモリ２５ｂ、セレクタエラー検査回路２５ｃ、ＭＰＥＧコーデック２６、ハードディスクドライブ２７、ハードディス２７ａ、モニタ２８等が設けられ、リモコン２９の記録ボタン２９ａが押されると、ＭＰＥＧコーデック２６で圧縮された動画像データ及び音声データがリアルタイムで入力され、かつハードディスク２７ａのシーケンシャルデータ記録領域に位置的に連続して記録される。記録完了後、リモコン２９のコピーボタン２９ｂが押されると、シーケンシャルデータ記録領域から圧縮データが読み出されてＦＡＴデータ記録領域に記録される。これにより、動画像データをシーケンシャルデータ記録領域にリアルタイムに連続して記録・再生できるとともに、動画像データをＦＡＴデータ記録領域にＦＡＴ方式で記録するようにして、同じ方式を採用するパソコンによって再生できるという利点がある（特許文献１参照）。
【０００４】
また、他の従来例としては、例えば、異なるファイルシステムが混在するシステムに関連するファイル管理装置及びその管理方法がある。この従来例では、図１０に示したように、ファイルへのアクセス要求を受け付ける受付手段と、受付手段からのファイル処理要求に基づいてファイル構造管理部に記録される管理情報またはデータ記録部に記録される管理情報により特定される実データを処理するファイル管理手段とからなる２種以上のファイル管理機能を有するファイル管理装置であり、切り替え手段３０は、第１の受付手段３１より第１のファイル管理手段（標準のＡＰＩ）３２に向けて出されるファイル処理要求を取得し、ファイル処理要求対象のファイルに対応する管理情報に基づく処理先判定要求を判定手段３３に通知する。判定手段３３はファイル処理要求の処理先となるファイル管理手段を判定し、判定結果を切り換え手段３０に通知する。切り換え手段３０は第１のファイル管理手段（ＦＡＴ等）３２を処理先としない旨の判定結果を通知されたとき、第２の受付手段（独自ファイルシステム）３５にアクセス要求を出す。これにより、標準のＡＰＩを使用しながら、必要に応じて独自ファイルシステムを使用できる（特許文献２参照）。
【０００５】
【特許文献１】
特開平１１−２２０６９３号公報（明細書全文，図１）
【特許文献２】
特開平１１−３４５１５５号公報（明細書全文，全図）
【０００６】
【発明が解決しようとする課題】
従来の監視用デジタル記録装置は、一般的に独自のファイルシステムを採用しているために、記録した画像データをコンピュータ等で再生しようとしても互いのファイルシステムの違いから画像データの再生はもとより記録媒体の認識すらできず、記録画像データをコンピュータに保存する等の活用が十分にできないという問題があった。
【０００７】
このような問題点を解決すべく、上記特許文献１では、シーケンシャルデータ記録領域（独自ファイルシステム）から、ハードディスクのＦＡＴデータ記録領域にＦＡＴファイルシステムによって再記録することで、同じ方式を採用するコンピュータによって再生できる。しかしながら、ＦＡＴファイルシステムによる再記録を想定して常に記録領域の一部を空けておく必要があり、ハードディスクの記録容量を十分に使い切れないという問題があった。また、特許文献２においても、同様に独自ファイルシステムとＦＡＴファイルシステムに対応した画像記録領域を設けなければならないという問題点があった。
【０００８】
本発明は上記課題に鑑みてなされたものであり、独自ファイルシステムの方式変換をすることなく、独自ファイルシステムに従って画像データを記録媒体に記録するデジタル画像記録装置であり、この記録媒体に書き込まれた画像データを、汎用パーソナルコンピュータで再生することができる画像ビューワー装置、その画像再生プログラム、及び記録媒体を提供することを目的とするものである。
【０００９】
【解決を解決するための手段】
本発明は、上記課題を達成したものであって、請求項１の発明は、画像データを独自ファイルシステムに従って記録媒体に記録するデジタル記録装置において、該記録媒体の疑似ＦＡＴ領域に、ウィンドウズＯＳ搭載のパーソナルコンピュータで認識可能とする管理情報と独自ファイルシステムによる画像データの連続情報を書き込めるようにしたことを特徴とするデジタル画像記録装置である。
【００１０】
請求項１の発明では、デジタル画像記録装置が画像データを独自ファイルシステムに従って記録媒体に記録しており、この記録媒体には疑似ＦＡＴ領域が設けられ、この疑似ＦＡＴ領域に管理情報を書き込むことによって、ウィンドウズＯＳ搭載のパーソナルコンピュータによって、疑似ＦＡＴデータにより記録媒体の存在を認識し、独自ファイルシステムの管理領域の存在により、デジタル画像記録装置にて記録された記録媒体と認識できる。独自ファイルシステムの管理情報より画像データの連続情報を読み込むことによって、独自ファイルシステムに基づいて画像データを再生することができる。デジタル画像記録装置では、疑似ＦＡＴ領域に管理情報を書き込むか否かを判定して、画像データの処理を行っており、デジタル記録装置の用途に応じた選択ができるようになされている。なお、画像データを書き込むファイル領域には、音声データが書き込まれる記憶領域が設けられている。
【００１１】
また、請求項２の発明は、前記記録媒体の疑似ＦＡＴ領域は、ＦＡＴファイルシステムによるデータ領域が割り付けられていないＦＡＴ領域であり、前記画像データは該記録媒体の独自ファイルシステム領域のデータ領域の単位時間ファイル領域に時系列的に書き込まれることを特徴とする請求項１に記載のデジタル画像記録装置である。
【００１２】
請求項２の発明では、記録媒体が疑似ＦＡＴ領域と独自ファイルシステム領域が設けられ、疑似ＦＡＴ領域はＦＡＴファイルシステムによるデータ領域が割り付けられていないＦＡＴ領域であり、前記画像データは独自ファイルシステム領域のデータ領域に単位時間ファイル領域に時系列的に書き込まれる。この記録媒体に書き込まれた画像データの管理情報は、独自ファイルシステム領域の管理領域に書き込まれる。また、疑似ＦＡＴ領域に、管理情報（起動データを含む）が書き込まれ、独自ファイルシステム内に画像データが記録されると、ウィンドウズＯＳ搭載のパーソナルコンピュータによる画像再生が可能となる。
【００１３】
また、請求項３の発明は、前記デジタル記録装置は、前記記録媒体に書き込まれた記録モードを読み出して第１乃至第３の記録モードの何れかを判別する初期設定手段を備えており、該第１の記録モードは、該デジタル記録装置起動後、独自ファイルシステムに従って前記記録媒体の独自ファイルシステム領域のデータ領域に画像データを記録するモードであり、前記第２の記録モードは、該デジタル記録装置起動後、前記疑似ＦＡＴ領域にパーソナルコンピュータに搭載したＯＳが備える標準ファイルシステムの管理情報の書き込みの有無を確認し、該管理情報が存在しない場合、前記疑似ＦＡＴ領域に前記管理情報を書き込んだ後、前記独自のファイルシステム領域のデータ領域に画像データを書き込むモードであり、前記第３の記録モードは、該デジタル記録装置起動後、パーソナルコンピュータが搭載したＯＳが備える標準ファイルシステムの管理情報の書き込みの有無を確認し、該管理情報が存在する場合には、前記疑似ＦＡＴ領域から前記管理情報を消去した後、前記独自ファイルシステム領域のデータ領域に画像データを書き込むモードであることを特徴とする請求項１又は２に記載のデジタル記録装置である。
【００１４】
請求項３の発明では、記録媒体に書き込まれた第１乃至第３の記録モードが何れであるかを判別する初期設定手段がデジタル記録装置に設けられ、初期設定手段が第１乃至第３の記録モードの何れかを認識して、第１の記録モードでは画像データの書き込みが、独自ファイルシステム領域のデータ領域とその管理領域のみに行われる。第２の記録モードでは疑似ＦＡＴ領域の書き込みを有無を確認して、「無」の場合は、疑似ＦＡＴ領域に起動データや管理情報が書き込んで、独自ファイルシステムによる画像データが書き込まれ、ウィンドウズＯＳ搭載のパーソナルコンピュータで独自ファイルシステムによる画像データを認識し、かつ再生し得るようにした。また、第３の記録モードではウィンドウズＯＳ搭載のパーソナルコンピュータで独自ファイルシステムによる画像データを認識ができないようにするモードである。従って、ウィンドウズＯＳ搭載のパーソナルコンピュータにて画像データを再生できなくすることができる。
【００１５】
また、請求項４の発明は、請求項１，２又は３に記載のデジタル画像記録装置により記録された前記記録媒体の画像データを再生できるパーソナルコンピュータによる画像ビューワー装置であって、
前記パーソナルコンピュータが、前記記録媒体の疑似ＦＡＴ領域に管理情報の書き込みの有無を判定する判定手段を備え、
該判定手段によって、該疑似ＦＡＴ領域に管理情報が書き込まれていると判定された場合、該管理情報に従って、前記独自ファイルシステム領域のデータ領域に記録された画像データを再生することを特徴とする画像ビューワー装置である。
【００１６】
請求項４の発明では、デジタル画像記録装置により記録された記録媒体の画像データがウィンドウズＯＳ搭載のパーソナルコンピュータによって再生できるようにした画像ビューワー装置であり、このパーソナルコンピュータが疑似ＦＡＴ領域の管理情報により記録媒体の認識が可能になると、管理情報の画像データの連続情報を認識して、独自ファイルシステム領域のデータ領域に書き込まれた画像データを再生し得るようにしたものであり、必用に応じて画像データを認識することができる作用を有する。
【００１７】
また、請求項５の発明は、独自ファイルシステムによるデジタル記録装置の記録媒体に記録された画像データを、パーソナルコンピュータに搭載したＯＳで再生可能な画像再生手段を構成した画像再生プログラムであって、
前記記録媒体は、ＦＡＴファイルシステムによるデータ領域が割り付けられていない疑似ＦＡＴ領域と、前記独自ファイルシステムによる管理領域とデータ領域とが設けられ、かつ該管理領域には画像データの管理情報を記憶し、画像データを記録するデータ領域には多数の単位時間ファイル領域が割り付けられ、前記データ領域の該単位時間ファイル領域には、時系列的に画像データが記録され、時系列的に記録された画像データの管理情報が前記管理領域に記録されているとともに、前記疑似ＦＡＴ領域には、前記独自ファイルシステムを一定領域毎に分割して付与した複数のファイル名及び各ファイルのサイズを含む連続情報が書き込まれており、該連続情報によりパーソナルコンピュータに記録媒体の存在を認識させて、独自ファイルシステムの管理領域に書き込まれた管理情報によりデータ領域に書き込まれた画像データを再生する再生手順を有することを特徴とする画像再生プログラムである。
【００１８】
請求項５の発明では、独自ファイルシステムにより書き込まれた画像データを、パーソナルコンピュータに搭載したウィンドウズＯＳで再生可能な画像再生手段を構成した画像再生プログラムであって、記録媒体の独自ファイルシステム内の管理領域から画像データの連続情報を読み取って、独自ファイルシステムのデータ領域に書き込まれた画像データを再生する再生手順を有する画像再生プログラムである。
【００１９】
また、請求項６の発明は、前記画像再生プログラムの再生手順が、
前記記録媒体に設けた前記独自ファイルシステム領域内にある管理情報である画像データの連続情報を読み出す手順と、
前記パーソナルコンピュータのＯＳが備える標準ＡＰＩを用いて、前記記録媒体をアクセス可能状態とする手順と、
前記標準ＡＰＩを用いて、前記管理情報により前記記録媒体のＬＢＡアドレス及びサイズを直接指定して、前記独自ファイルシステム領域のデータ領域をワークメモリに読み込む手順と、
前記画像データの次の画像データのアドレスとサイズを指定して、前記ワークメモリに書き込む手順と、
前記ワークメモリの画像データを読み出す手順と、
を備えていることを特徴とする請求項５に記載の画像再生プログラムである。
【００２０】
請求項６の発明では、汎用パーソナルコンピュータのウィンドウズＯＳが備える標準ＡＰＩ（Ａｐｐｌｉｃａｓｔｉｏｎ  Ｐｒｏｇｒａｍ  Ｉｎｔｅｒｆａｃｅ）を用いて、ＬＢＡ及びサイズを指定して、独自ファイルシステムに従って書き込まれた画像データを、ワークメモリに順次書き込んで、画像データを再生する画像再生プログラムであり、ウィンドウズＯＳ搭載のパーソナルコンピュータによって、独自ファイルシステムに従う画像データを再生することができるととに、画像データが独自ファイルシステムに従っており、この種のパーソナルコンピュータでは画像データを改ざんすることができない。
【００２１】
また、請求項７の発明は、前記記録媒体には、デジタル記録装置起動後、独自ファイルシステムに従って前記記録媒体の該独自ファイルシステム領域のデータ領域に画像データを記録する第１の記録モードと、該デジタル記録装置起動後、パーソナルコンピュータに搭載したＯＳが備えるＦＡＴファイルシステムの管理情報の有無を確認し、該管理情報がない場合、前記ＦＡＴファイルシステムの管理情報を前記記録媒体の疑似ＦＡＴ領域に書き込んだ後、前記独自ファイルシステム領域のデータ領域に画像データを書き込む第２の記録モードと、該デジタル記録装置起動後、パーソナルコンピュータに搭載したＯＳが備えるＦＡＴファイルシステムの管理情報の有無を確認し、前記記録媒体の疑似ＦＡＴ領域に該管理情報がある場合には前記ＦＡＴファイルシステムの管理情報を前記記録媒体から消去した後、前記独自ファイルシステム領域のデータ領域に画像データを書き込む第３の記録モードとの何れかを選択するためのモード設定値が書き込まれていることを特徴とする記録媒体である。
【００２２】
請求項７の発明では、記録媒体に第１〜第３の記録モードの何れかを設定するモード設定値が書き込まれており、モード設定値によって、ウィンドウズＯＳ搭載のパーソナルコンピュータにより、記録媒体の認識を可能あるいは不可能とする。第２の記録モードでは前記パーソナルコンピュータでの認識が可能となり画像ビューワーでの再生ができる。第３の記録モードでは疑似ＦＡＴデータを消去し、前記パーソナルコンピュータでの認識が不可能となり画像ビューワーでの再生ができなくなる。
【００２３】
【発明の実施の形態】
以下、本発明に係るデジタル画像記録装置、画像ビューワー装置、画像再生プログラム、及び記録媒体について、図面を参照して説明する。なお、図１は、本実施形態のブロック図であり、図２は記憶媒体の記憶領域の割り付けの概要を示す図、図３は画像ファイルの記憶領域の割り付けを示す図、図４はデジタル画像記録装置の画像記録の処理フローを示す図、図５は画像ビューワー装置による疑似ＦＡＴ情報の有無の判定する処理フローを示す図、図６は記憶媒体の割り付けを示す図である。図７（ａ），（ｂ）は本実施形態の画像ビューワー装置の画像再生の処理フローを示す図、図８（ａ），（ｂ）は画像ビューワー装置の画像再生の処理フローを示す図である。
【００２４】
本発明に係るデジタル画像記録装置及び画像ビューワー装置について説明する。本発明のデジタル画像記録装置は、防犯、防災等の監視用に使用する装置であり、各防犯、防災等の監視区域をカメラで撮影して、その画像データを、例えば１秒間に最大３０コマの画像が記録できる装置である。画像ビューワー装置は、ウィンドウズＯＳ搭載のパーソナルコンピュータにより、デジタル画像記録装置１で記録媒体に記録された画像データを再生することができる装置である。
【００２５】
先ず、本実施形態のデジタル画像記録装置について、図１を参照して説明する。同図のデジタル記録装置１は、制御及び演算処理を行うＣＰＵ２、制御プログラムが格納されたＲＯＭ４、ＣＰＵ２の作業領域であるＲＡＭ（ワークメモリ）５、操作用の入力装置８、防災或いは防犯の各区域を撮影するカメラとこれらに対応して撮影された映像を映すモニタとが接続される切替手段７、入力装置８による操作により各箇所の映像を映し出すモニタ３、ＣＰＵ２と各装置等とを接続するバスライン９、バスライン９を通してＣＰＵ２と接続されたハードディスクリムーバブルドライブ６、ハードディスクリムーバブルドライブ６に脱着可能に装着されるハードディスク（以下、記録媒体）２０等から構成されている。ＣＰＵ２には初期設定手段２ａと画像データ記録手段２ｂとが設けられており、初期設定手段２ａは、記録媒体２０の疑似ＦＡＴ領域に、疑似ＦＡＴデータ（管理情報と画像データの連続情報）を書き込んだり、或いは書き込まれた疑似ＦＡＴデータを消去したりすることができ、画像データ記録手段２ｂは、独自ファイルシステムに従った画像データを記録する。
【００２６】
一方、画像ビューワー装置１０は、ウィンドウズＯＳ搭載のパーソナルコンピュータ（以下、パソコンと称する）による装置であって、制御及び演算処理を行うＣＰＵ１１、ディスプレィ１２、制御プログラムが格納されたＲＯＭ１３、ＣＰＵ１１の作業領域であるＲＡＭ１４、操作用の入力装置１８、ＣＰＵ１１と各装置等とを接続するバスライン１９、バスライン１９を通してＣＰＵ１１と接続されるハードディスクリムーバブルドライブ１５、ハードディスクリムーバブルドライブ１５に脱着可能な記録媒体２０等から構成され、ＣＰＵ１１には、判定手段１６と画像再生手段１７等が設けられている。なお、記録媒体２０は、デジタル記録装置１のハードディスクリムーバブルドライブ６から抜き出して、画像ビューワー装置１０のハードディスクリムーバブルドライブ１５に装填したり、その逆の操作が可能できる。
【００２７】
記録媒体２０は、図２に示したように、疑似ＦＡＴ領域２１と画像データを記憶する記憶領域が設けられた独自ファイルシステム領域（以下、メインファイルシステム領域とする）２２とから構成されている。疑似ＦＡＴ領域２１とは、ＦＡＴファイルシステムに従った画像データを格納するメインファイルが割り付けられていない領域を示し、疑似ＦＡＴ領域２１に疑似ＦＡＴデータが書き込まれた場合、汎用のウィンドウズＯＳ搭載のパソコンによって、システムを起動し、メインファイルシステム領域のデータ領域及び管理領域のデータ及び管理情報をコピーや削除する機能を有する。以下、疑似ＦＡＴ領域２１とメインファイルシステム領域２２について詳細に説明する。
【００２８】
疑似ＦＡＴ領域２１には、ブートセレクタ領域２１ａ、ＦＡＴテーブルが格納されるＦＡＴ領域２１ｂ、ＦＡＴ領域２１ｂと同一のテーブルが格納されるＦＡＴコピ−領域２１ｃ、ディレクトリにメインファイルの場所等に関する情報が格納されるディレクトエントリ２１ｄが設けられている。疑似ＦＡＴ領域２１には、ＦＡＴファイルシステムに従ったデータ領域は設けられていない。ブートセレクタ領域２１ａには、ウィンドウズ等が利用できるように、電源投入からコンピュータが操作可能な状態となるように設定するためのシステム起動用領域（ＭＢＲ：Ｍａｓｔｅｒ  Ｂｏｏｔ  Ｒｅｃｏｒｄ）が設けられ、他にハーディスクに関する情報が格納されているＢＰＢ（ＢＩＯＳ  Ｐａｒａｍｅｔｅｒ  Ｂｌｏｃｋ）領域、同時に複数ファイルシステムを管理するＦＳＩ（Ｆｉｌｅ  Ｓｙｓｔｅｍ  Ｉｎｓｔａｌｌｅｒ）領域  、メモリを共用する予約領域が設けられている。この疑似ＦＡＴ領域２１は、ＦＡＴファイルシステムを採用するウィンドウズＯＳ等を利用する汎用パソコンに接続した場合に、汎用パソコンによって、デジタル画像記録装置で記録したハードディスクを認識することができる。なお、ＦＡＴコピー領域２１ｃには、ＦＡＴ領域２１ｂと同一の内容が記憶され、ＦＡＴ領域２１ｂのデータが破壊すると、ファイルの記録情報が失われるので、ＦＡＴコピ−領域２１ｃを設けてトラブルを防いでいる。
【００２９】
一方、メインファイルシステム領域２２は、独自ファイルシステムの管理を行う管理領域２３と、管理領域２３による管理されたデータ領域２４とから構成されている。管理領域２３には、システム管理領域２３ａ、予約領域２３ｂ、リピート管理領域２３ｃ、記録開始・終了管理領域２３ｄ、ファイル管理領域２３ｅが設けられている。システム管理領域２３ａでは、各領域の開始アドレス、終了アドレス、サイズと記録開始・終了アドレスを管理する。予約領域２３ｂはメモリを共用する領域である。リピート管理領域２３ｃでは、連続して記録を続けて、データ領域が満杯になった時に上書きを管理する。記録開始・終了管理領域２３ｄでは、記録開始時刻、記録終了時刻、記録チャンネル、記録モードの管理を行い、また１分間毎のファイルの記録開始時に該当するアドレスを管理する。１分毎のファイル管理領域２３ｅでは、記録中に計時データの１分間経過する毎に、１秒毎のインデックスを作成し、その１秒毎のインデックスのアドレスを管理する。
【００３０】
また、データ領域２４には、画像データ（画像データ又は音声データ，画像データ）が単位時間（例えば、１分間）毎に圧縮して記録されるファイル２４１  〜２４ｎが設けられている。画像及び音声データは、最大速度１／３０秒間隔で圧縮されて１分間毎のファイルとして記録されている。
【００３１】
データ領域２４における１分間のファイル２４１  〜２４ｎ（任意の１分間のファイルをファイルＦと称する）について、図３を参照して説明する。１分間のファイルＦには、１分間の圧縮された画像データが１秒毎に記憶される領域が設けられており、最初の１秒間のデータＳ１  から最後の１秒間のデータＳｎ（ｎ：５９）までがファイルＦに記憶されている。１秒毎の画像及び音声データＳ１  が記憶される領域には、１秒間毎に付与されるインデックスを管理するインデックス領域Ｉと、１秒間の画像及び音声データのアドレスとサイズを管理するファイルインデックス領域Ｆ１  が設けられている。ファイルインデックスにて１秒間に記録される画像及び音声データを管理し、次の秒は新たにファイルインデックスが作成され、ファイルインデックスの管理を１秒間のインデックスＩにて行う。
【００３２】
すなわち、１分間のファイルＦには、１秒間の画像及び音声データＳ１  〜Ｓｎに対応して、１秒毎にインデックスを格納する１秒間のインデックスＩと１秒間の画像及び音声データを管理するファイルインデックスＦ１  〜Ｆｎが作成される。ファイルインデックスＦ１  は画像データ領域Ｇ１１  〜Ｇ１ｎと音声データ領域Ａ１１  〜Ａ１ｎを管理する。
【００３３】
次に、図２の独自ファイルシステム領域の管理領域２３とデータ領域２４について説明する。管理領域２３の記録開始・終了管理領域２３ｄには、記録開始時刻がＹ年Ｍ月Ｄ日のＨ時Ｍｓ分Ｓｓ秒とし、記録終了時刻がＹ年Ｍ月Ｄ日のＨ時Ｍｅ分Ｓｅ秒として管理されている。記録開始時刻から記録終了時刻まで１分毎のアドレスが１分毎のファイル管理領域２３ｅに格納されて管理されている。１分毎のファイル管理領域２３ｅには、記録開始時刻（Ｙ年Ｍ月Ｄ日のＨ時Ｍｓ分Ｓｓ秒）から記録終了時刻（Ｙ年Ｍ月Ｄ日のＨ時Ｍｅ分Ｓｅ秒）までの１分毎のアドレスが作成されて管理されている。
【００３４】
また、各１分毎のファイルＦのアドレスに対する１秒間毎のアドレスがインデックス管理領域Ｉで管理されている。各１分毎のファイルに対応する１秒間のインデックス管理領域Ｉに対応する画像データＧ１１  〜Ｇ１ｎと音声データＡ１１  〜Ａ１ｎを特定するアドレスがファイルインデックス管理領域Ｆ１  〜Ｆｎにより管理されている。ファイルインデックス管理領域Ｆ１  〜Ｆｎから画像データＧ１１  〜Ｇ１ｎ及び音声データＡ１１  〜Ａ１ｎが読み出されるように構成されている。
【００３５】
従って、記録開始・終了管理領域２３ｄの記録開始時刻をＹ年Ｍ月Ｄ日のＨ時Ｍｓ分Ｓｓ秒を時刻検索を行うことによって、１分毎のファイル管理領域２３ｅのＭｓ分のアドレスが特定され、続いてＭｓ分のファイルに対応する１秒間のインデックス管理領域ＩからＳｓ秒のアドレスを特定することができ、ファイルインデックス管理領域Ｆ１  の画像及び音声データのインデックスが作成されてそのアドレスが特定され、Ｍｓ分のＳｓ秒の画像データＧ１１  と音声データＡ１１  のデータが読み出される。このようにして、時刻検索に対応する画像及び音声データの記録／再生ができるようにリンクされている。
【００３６】
なお、記録開始・終了管理領域２３ｄでは、記録開始と停止によりデータ内にインデックスが１つ作成される。インデックスは、記録開始及び終了時刻、記録開始及び終了時の１分毎のファイルインデックスアドレス、記録チャンネル、記録モードにより構成されている。各データは、１セクタ（５１２バイト）のサイズがあり、１インデックス当たり３２バイト使用している。そのため、データは、１６インデックスまで管理し得るように構成され、監視区域の画像データから時刻検索することで、所望する画像データを再生することができる。
【００３７】
続いて、本実施形態のデジタル画像記録装置１の画像データを記録媒体２０に記録する際の動作について、図４を参照して説明する。ステップＳ１において、電源をＯＮとした後、ステップＳ２に進み、ハードディスクリムーバブルドライブ６に記録媒体２０を装填する。ステップＳ３では、初期設定手段２ａにより、記録媒体２０に書き込まれたモード設定値（設定１〜３）の何れかであるか判定する。初期設定手段２ａの設定１（第１の記録モード）は疑似ＦＡＴ領域に何もせずに画像データの書き込みを行う。設定２（第２の記録モード）は疑似ＦＡＴ領域に疑似ＦＡＴデータを書き込み、画像データを書き込む。設定３（第３の記録モード）は疑似ＦＡＴ領域に疑似ＦＡＴデータを消去して、画像データを書き込む。設定１が設定されと判定されると、ステップＳ８に進み、独自ファイルシステムに従って画像データをデータ領域２４に書き込む。
【００３８】
また、設定２が設定されると判定すると、ステップＳ４に進み、疑似ＦＡＴデータの有無をチェックする。疑似ＦＡＴデータが「有り」であれば、ステップＳ８に進み、「無し」であればステップＳ５に進み、疑似ＦＡＴ領域２１に疑似ＦＡＴデータを書き込み、ステップＳ８に進む。
【００３９】
また、設定３が設定されている場合、ステップＳ６に進み、疑似ＦＡＴデータの有無をチェックして、「有り」であれば、ステップＳ７に進み、疑似ＦＡＴデータを消去し、「無し」であれば、ステップＳ８に進む。ステップＳ８は、独自ファイルシステムに従って、画像データを記録媒体２０のデータ領域２４に記憶するステップである。記録媒体２０への画像データの記録が完了した後、ステップＳ９に進み、装置の電源を切る。ステップＳ１０にて、ハードディスクドライバー６から記録媒体２０を取り出す。記録媒体２０には、独自ファイルシステムに従って、画像データが記録されており、設定２が設定されている場合には、独自ファイルシステムをある一定領域毎に分割して付与した複数のファイル名及びファイルサイズ等の連続情報が少なくとも疑似ＦＡＴ領域２１に書き込まれている。
【００４０】
一方、デジタル画像記録装置１で記録媒体２０に記録された画像データを画像ビューワー装置により再生する際の操作について、図５を参照して説明する。先ず、ステップＳ１１において、記憶媒体２０をリムーバルユニット１５に装填し、ステップＳ１２において、電源をオンとする。続いて、ステップＳ１３に進み、記憶媒体２０の疑似ＦＡＴ領域に疑似ＦＡＴデータが格納されているか否かを判定し、「有り」の場合、ステップＳ１４に進む、独自ファイルシステム領域の画像データを読み出すことができると判定し、「無し」の場合、ステップＳ１５に進み、独自ファイルシステム領域の画像データを読み出すことができないと判定する。
【００４１】
因みに、記録媒体２０は、図６に示したように、疑似ＦＡＴ領域２１と、独自ファイルシステム領域２２とが割り付けられ、ディレクトリエントリデータは、独自ファイルシステム領域２２の先頭アドレスから一定サイズ（１Ｇバイト）毎にファイル名が疑似的に付けられている。例えば、先頭アドレスをＨ’０ｘ００００００００とし、次の番地がＨ’０ｘ００２０００００として、１Ｇバイトの記憶エリアが割り付けされ、次はＨ’０ｘ００２０００００からＨ’０ｘ００４０００００までの１Ｇバイトの記録エリアが順番に割り振れ、最終アドレスをＨ’０ｘ００２０００００×（Ｎ−１）としている。最初のブロックのファイル名は、ＩＴＣ＿００００．ＩＴＣとし、次のファイル名をＩＴＣ＿０００１．ＩＴＣとし、最終のファイル名を、ＩＴＣ＿ｎ．ＩＴＣとしている。この独自ファイルシステムの画像データを記録する際の連続情報を疑似ＦＡＴ領域２１のＦＡＴ２１ｂ，ＦＡＴコピー２１ｃに書き込むことによって、ウィンドズＯＳ搭載のパソコンによって、画像データを再生することができる。
【００４２】
続いて、図７（ａ），（ｂ）を参照して、画像ビューワー装置の動作を説明する。画像ビューワー装置は、ウィンドズＯＳ搭載のパソコンである。画像ビューワー装置の動作は、画像再生手段を構成するプログラムによって、実行することができる。図７（ａ）において、ステップＳ１６では、画像ビューワーを起動し、ステップＳ１７により、記録媒体２０がデジタル画像記録装置で記録されたかどうかを判定し、デジタル画像記録装置で記録された記録媒体なら、ステップＳ１８に進み、独自ファイルシステム内の管理データを読み出す。記録媒体２０がデジタル画像記録装置で記録された記録媒体でないなら、ステップＳ１９に進み、ウィンドウズＯＳ搭載のパソコンによる認識ができないので、ここで終了する。図７（ａ）の処理フローによって、記録媒体２０にデジタル画像記録装置で記録したデータがあるなら、図７（ｂ）の処理フローに進み、ステップＳ２０において、ウィンドウズＯＳが搭載する標準ＡＰＩを利用して、記録媒体２０に対してアクセス可能状態とする。続いて、ステップＳ２１に進み、ウィンドウズＯＳが搭載している標準ＡＰＩを利用して、管理情報に基づいて、指定のＬＢＡ及びサイズを管理バッファに読み込み、ステップＳ２２において、標準ＡＰＩを利用して、記録媒体２０に対してアクセス禁止状態にする。続いて、図８（ａ）の処理フローに進む。
【００４３】
記録媒体２０に画像データが存在する場合、画像ビューワー装置は、図８（ａ）の処理フローに従って、画像データを再生する。先ず、ステップＳ２３により、画像ビューワー画面の再生ボタンを操作して、再生操作を行い、ステップＳ２４に進む。ステップＳ２４では、標準ＡＰＩを利用し記録媒体２０をアクセス可能状態にする。続いて、ステップＳ２５に進み、標準ＡＰＩを利用して、管理データより画像が記録されているＬＢＡ及びサイズにより、記録媒体２０のデータ領域からＲＡＭ（ワークメモリ）に画像データを読み込む。続いて、ステップＳ２６に進み、同様の操作を行って、次の画像データのアドレス、サイズをセットし、ステップＳ２７に進む。ステップＳ２７では、画像バッファの画像データを画像ビューワー装置の表示部に画像表示する。画像ビューワー装置の表示部に画像表示を終了する場合は、図８（ｂ）に示したように、ステップＳ２８により、画面上の停止スイッチを操作して再生終了する。ステップＳ２９により、標準ＡＰＩを利用し記録媒体をアクセス禁止状態にする。
【００４４】
【発明の効果】
上述のように、本発明によれば、画像データが独自ファイルシステムに従って記録媒体に記録されるが、この記録媒体には独自ファイルシステム領域に加えて疑似ＦＡＴ領域が設けられており、疑似ＦＡＴ領域にパソコンで認識可能にするために、ＭＢＲ、ＢＰＢ、ＦＳＩ、ＦＡＴ、ＦＡＴのコピー及びディレクトリエントリ領域にファイル名、サイズ等を疑似的に書き込むことによって、ウィンドウズＯＳ搭載のパーソナルコンピュータで独自ファイルシステムによる画像データを再生することができるようにすることができる利点がある。画像データは、独自ファイルシステムにより書き込まれており、改ざん防止が困難であって、秘密性を有するものであれば、疑似ＦＡＴ領域に管理情報を書き込まないように設定したり、或いは疑似ＦＡＴ領域に管理情報が書き込まれている場合には、この管理情報を消去して、パソコンにて認識できるようにすることが可能であり、デジタル画像記録装置の用途に応じて、任意に設定できる利点がある。
【００４５】
また、本発明によれば、記録媒体には、第１乃至第３の記録モードの選択ができるモード設定値を書き込めるようにしてあり、用途に応じて、独自ファイルシステムによる画像データの再生がウィンドウズＯＳ搭載のパソコンによって、再生が可能であり、しかも画像データは、独自ファイルシステムにより書き込まれているので、画像データの改ざん防止ができる利点がある。
【００４６】
また、本発明によれば、記録媒体がＬＢＡ及びサイズで割り付けられており、汎用パーソナルコンピュータのＯＳが備える標準ＡＰＩを用いて、ＬＢＡ及びサイズを指定して、独自ファイルシステムに従って書き込まれた画像データを、ワークメモリに順次読み込んで、画像データを再生しており、シーク速度を高速にすることができるとともに、画像データがシーケンシャルに配置されているので、ヘッドの移動時の音が低減されて静寂が保たれる利点がある。
【図面の簡単な説明】
【図１】本発明に係る実施形態を示すブロック図である。
【図２】本実施形態の記録媒体の割り付けの概要を示す図である。
【図３】本実施形態の記録媒体における１分間ファイルの割り付けを示す図である。
【図４】本実施形態のデジタル画像記録装置の初期設定の処理フローを示す図である。
【図５】本実施形態の画像ビューワー装置における起動時の疑似ＦＡＴデータの有無を判定する処理フローを示す図である。
【図６】本実施形態の記録媒体のＬＢＡとファイルとの関係を示す図である。
【図７】（ａ），（ｂ）は、本実施形態の画像ビューワー装置の画像再生における処理フローを示す図である。
【図８】（ａ），（ｂ）は、本実施形態の画像ビューワー装置の画像再生における処理フローを示す図である。
【図９】従来の動画像記録装置のブロック図である。
【図１０】従来のファイル管理装置及びファイル管理方法を示すブロック図である。
【符号の説明】
１  デジタル画像記録装置
２，１１  ＣＰＵ
２ａ  初期設定手段
２ｂ  画像データ記録手段
３，１２  モニタ
４，１３  ＲＯＭ
５，１４  ＲＡＭ（ワークメモリ）
６，１５  ハードディスクリムーバルドライブ
７  切換手段
８，１８  入力装置
９，１９  バスライン
１０  画像ビューワー装置
１６  判定手段
１７  画像再生手段
２０  記録媒体（ハードディスク）
２１  疑似ＦＡＴ領域
２２  独自ファイルシステム領域（メインファイルシステム領域）
２３  管理領域
２４  データ領域
【図１】
2004288007.tif 000003
【図２】
2004288007.tif 000004
【図３】
2004288007.tif 000005
【図４】
2004288007.tif 000006
【図５】
2004288007.tif 000007
【図６】
2004288007.tif 000008
【図７】
2004288007.tif 000009
【図８】
2004288007.tif 000010
【図９】
2004288007.tif 000011
【図１０】
2004288007.tif 000012